(57)【要約】      （修正有）【課題】ランプの実用効果を向上させ、発光、照度が十分で、発光角度が１８０度に達し、色の変化が可能で、使用寿命が長く、散熱効果がよく、環境保全の規範に符合するランプ構造を提供する。【解決手段】ランプ構造は、少なくとも一つのＬＥＤ１０をＭＰＣＢアルミ二ウム基板１１上にパッケージしてなる薄型発光源１と、漏斗状で、中央が凹陥し、少なくとも一つの孔を有して、相同数量のＬＥＤの一部表面を内に容置し、且つ、孔周囲表面に、漆処理をして反光面にする反光鏡２と、表面がスプレイ処理された平面鏡３と、容置空間を有し、一端が薄型発光源１、反光鏡２、平面鏡３を容置し、もう一端はドライバ５を結合し、ランプ周囲は片状の散熱構造４１を形成するランプカバー４と、ランプカバー４の容置空間のもう一端に嵌設され、正負導線５０が薄型発光源１に連接されて、発光を駆使するドライバ５と、からなり、ＬＥＤ１０は任意の色にでき、大電力ＬＥＤを採用する。【選択図】図１
0003145270.tif 000002
【実用新案登録請求の範囲】
【請求項１】
ランプ構造であって、
少なくとも一つのLEDをMPCBアルミ二ウム基板上にパッケージしてなる薄型発光源と、
漏斗状で、中央が凹陥し、少なくとも一つの孔を有して、相同数量のLEDの一部表面を内に容置し、且つ、前記孔周囲表面上の漆処理して反光面にする反光鏡と、
表面がスプレイ処理される平面鏡と、
容置空間を有し、一端が前記薄型発光源、前記反光鏡、前記平面鏡を容置し、もう一端がドライバと結合し、周囲に片状の散熱構造を形成するランプカバーと、
前記ランプカバーのもう一端に嵌設され、正負導線が前記薄型発光源に連接されて、発光するドライバと、
からなることを特徴とするランプ構造。
【請求項２】
前記薄型発光源底面周囲に、スロットを有して、前記ドライバんも正負導線が通過して結合し、及び、複数のノッチが、前記ランプカバー内から取り出し交換しやすい  ことを特徴とする請求項１に記載のランプ構造。
【請求項３】
前記LEDは任意の色であることを特徴とする請求項１に記載のランプ構造。
【請求項４】
前記LEDは大電力LEDであることを特徴とする請求項１に記載のランプ構造。
【考案の詳細な説明】
【技術分野】
【０００１】
本考案は、ランプの構造に関するものであって、特に、発光、照度が十分で、発光角度が１８０度に達し、色の変化が可能で、使用寿命が長く、散熱効果がよく、環境保全の規範に符合するランプ構造に関する。
【背景技術】
【０００２】
公知のランプは、ウオールランプやスタンドランプも、体積が大きく、空間を占有する問題がある。更に、ランプ自身の造型質感と設計美観の不足の場合、空間と協調など、全体の印象が悪くなる。
【０００３】
相関する製品の功能の便利性と高付加価値を求める趨勢下で、具体的な功能の増進案を提供することが求められる。
【考案の開示】
【考案が解決しようとする課題】
【０００４】
本考案の目的は、ランプの実用効果を向上させ、発光、照度が十分で、発光角度が１８０度に達し、色の変化が可能で、使用寿命が長く、散熱効果がよく、環境保全の規範に符合するランプ構造を提供することにある。
【課題を解決するための手段】
【０００５】
上述の目的を達成するため、本考案のランプ構造は、少なくとも一つのLEDをMPCBアルミ二ウム基板上にパッケージしてなる薄型発光源と、漏斗状で、中央が凹陥し、少なくとも一つの孔を有して、相同数量のLEDの一部表面を内に容置し、且つ、孔周囲表面に、漆処理をして反光面にする反光鏡と、表面がスプレイ処理された平面鏡と、容置空間を有し、一端が薄型発光源、反光鏡、平面鏡を容置し、もう一端はドライバを結合し、ランプ周囲は片状の散熱構造を形成するランプカバーと、ランプカバーの容置空間のもう一端に嵌設され、正負導線が薄型発光源に連接されて、発光を駆使するドライバと、からなり、LEDは任意の色にでき、大電力LEDを採用する。
【考案の効果】
【０００６】
本考案のランプ構造は、発光、照度が十分で、発光角度が１８０度に達し、色の変化が可能で、使用寿命が長く、散熱効果がよく、環境保全の規範に符合する。
【考案を実施するための最良の形態】
【０００７】
図１は、本考案の好ましい実施例によるランプ構造の立体分解図である。ランプ構造は、薄型発光源１、反光鏡２、平面鏡３、ランプカバー４、ドライバ５、からなる。薄型発光源１は、少なくとも一つの大電力LED１０を、MPCBアルミ二ウム基板１１上にパッケージしてなり、且つ、LED１０はどんな色でもよく、薄型発光源１は、底面周囲にスロット１２を有して、ドライバ５の正負導線５０を通過させて、電気的に接続し、及び、若干のノッチ１３を有し、ランプカバー４内からの取り出し交換が便利である。
【０００８】
反光鏡２は漏斗状で、中央が凹陥して、少なくとも一つの孔２０を有し、相同数量のLED１０の一部表面を内に容置し、且つ、孔２０周囲表面は、漆処理して反光面にして、発光角度を調整し、光陰を除去すると共に、光源を集中させて、直接射出、反射射出して、光源の浪費を防止する。
【０００９】
平面鏡３は、表面をスプレイ処理して、発光源を調和し、発光屈折を実行して、発光角度が１８０度になり、重影が生じず、且つ、光源が集中して発射する。
【００１０】
ランプカバー４は、容置空間４０を有し、一端は薄型発光源１、反光鏡２、平面鏡３を容置し、もう一端はドライバ５を結合する。ランプカバー４周囲は、片状の散熱構造４１を形成して、好ましい散熱効果を提供する。
【００１１】
ドライバ５は、ランプカバー４一端に嵌設され、正負導線５０が薄型発光源１に連接して、発光させる。
【００１２】
図２は、本考案の好ましい実施例によるランプの外観立体図である。薄型発光源１は、ランプ４の容置空間４０内に嵌入し、続いて、反光鏡２を被覆して、孔２０とLED１０を照準して嵌固し、更に、平面鏡３を被覆すると共に、ドライバ５を容置空間４０からもう一端に嵌入し、且つ、正負両導線が延伸して、薄型発光源１と電気的に接続し（図３、図４で示される）、ランプを完成する。
【００１３】
上述のようなランプは、実際の装着使用時に、１２Vを操作電圧とし、導電接続が薄型発光源１を発光させた後、大電力LED１０を採用するので、輝度、及び、照度が十分で、且つ、使用寿命が長く、特に、反光鏡２は、LED１０の発光角度を調整集中し、且つ、光影を除去すると共に、光源を集中して、直接射出、及び、反射射出し、光源の浪費を防止する。更に、スプレイ処理された平面鏡３が、光源を調和させ、発光角度を１８０度にし、重影を生成しない。特に、ランプカバー４周囲の独特な片状の散熱構造４１設計が、散熱効果を向上する。
【図面の簡単な説明】
【００１４】
【図１】本考案の好ましい実施例によるランプの分解立体図である。
【図２】本考案の好ましい実施例によるランプ外観立体図である。
【図３】本考案の好ましい実施例によるランプの断面図である。
【図４】本考案の好ましい実施例によるもう一つの断面図である。
【符号の説明】
【００１５】
1    薄型発光源
2    反光鏡
3    平面鏡
4    ランプカバー
5    ドライバ            
10   LED
11   MPCBアルミ二ウム基板          
12   スロット
13   ノッチ            
20   孔            
40   容置空間
41   散熱構造          
50   正、負導線
【図１】
0003145270.tif 000003
【図２】
0003145270.tif 000004
【図３】
0003145270.tif 000005
【図４】
0003145270.tif 000006